(57)【特許請求の範囲】
【請求項１】
記録媒体の回転速度制御情報に対応した周波数で、情報を記録すべき情報トラックをウォブリングさせることにより前記回転速度制御情報が記録されている前記情報トラックと、前記情報トラックの外周方向に隣接し、該情報トラックのアドレス情報がプリピットの形で記録されているランドトラックとが螺旋状に形成されている、前記記録媒体を再生可能な光ディスク装置において、
前記情報トラック及び前記情報トラックに隣接したランドトラックに対して光ビームを同時に照射し、当該光ビームの前記情報トラック及び前記ランドトラックからの反射光に基づいてプッシュプル（以下、ＰＰと称す）信号を生成するＰＰ信号生成手段と、
前記ＰＰ信号に基づいて、該ＰＰ信号に含まれている前記ランドトラックからのプリピット信号であるランドプリピット(以下、ＬＰＰと称す)信号のうち、前記情報トラックの外周方向に隣接したランドトラックからのプリピット信号を検出する外周側ＬＰＰ検出手段と、
前記ＰＰ信号に基づいて、該ＰＰ信号に含まれているＬＰＰ信号のうち、前記情報トラックの内周方向に隣接したランドトラックからのプリピット信号を検出する内周側ＬＰＰ検出手段と、
前記外周側ＬＰＰ検出手段により検出したＬＰＰ信号をもとに前記情報トラックのアドレス情報を取得する、もしくは前記内周側ＬＰＰ検出手段により検出したＬＰＰ信号をもとに前記情報トラックよりも1本内周方向の情報トラックのアドレス情報を取得するＬＰＰアドレス検出手段と、
前記外周側ＬＰＰ検出手段と、前記内周側ＬＰＰ検出手段との動作を切替えるＬＰＰ検出切替手段と、
前記情報トラックの外周側に隣接したランドトラックからのＬＰＰ信号のピーク値を検出するピーク値検出手段と、
前記ＰＰ信号のピークまたはボトムをホールドするＰＰ信号ホールド手段と、
前記ＰＰ信号ホールド手段によりピークホールドされたピークホールドＰＰ信号のレベルと、前記ピーク値検出手段により検出された外周側ＬＰＰ信号のピーク値とを比較する信号レベル比較器と、を備え、
通常は前記外周側ＬＰＰ検出手段を通じてアドレス情報を取得し、シーク処理におけるトラック着地時に前記信号レベル比較器によって比較された前記ピークホールドＰＰ信号のレベルと前記外周側ＬＰＰ信号のピーク値との差が所定の閾値より小さい場合は、前記ＬＰＰ検出切替手段によって前記内周側ＬＰＰ検出手段に切替えて前記内周側ＬＰＰ検出手段を通じてアドレス情報を取得し、アドレス取得後に再び前記外周側ＬＰＰ検出手段に戻す、
ことを特徴とした光ディスク装置。
【請求項２】
請求項１に記載の光ディスク装置において、
前記ＰＰ信号のピークまたはボトムをホールドするＰＰ信号ホールド手段と、
レンズがピックアップ内で偏りのない状態において、前記ＰＰ信号ホールド手段によりピークホールドして取得したピークホールドＰＰ信号のレベルを格納するピークホールドＰＰ信号レベル格納手段と、を備え、
前記ピークホールドＰＰ信号レベル格納手段により格納されるピークホールドＰＰ信号レベルに所定の値を加えたものを第２の閾値とし、
シーク処理におけるトラック着地時のピークホールドＰＰ信号レベルが前記第２の閾値より大きい場合にも、前記ＬＰＰ検出切替手段によって前記内周側ＬＰＰ検出手段に切替えて前記内周側ＬＰＰ検出手段を通じてアドレス情報を取得する、
ことを特徴とした光ディスク装置。
【請求項３】
請求項１に記載の光ディスク装置において、
前記情報トラックの外周側に隣接したランドトラックからのＬＰＰ信号のピーク値を検出するピーク値検出手段と、
前記ＰＰ信号のピークまたはボトムをホールドするＰＰ信号ホールド手段と、
前記ＰＰ信号ホールド手段によりピークホールドされたピークホールドＰＰ信号のレベルと、前記ピーク値検出手段により検出された外周側ＬＰＰ信号のピーク値とを比較する第１の信号レベル比較器と、
前記情報トラックの内周側に隣接したランドトラックからのＬＰＰ信号のボトム値を検出するボトム値検出手段と、
前記ＰＰ信号ホールド手段によりボトムホールドされたボトムホールドＰＰ信号のレベルと、前記ボトム値検出手段により検出された内周側ＬＰＰ信号のボトム値とを比較する第２の信号レベル比較器と、を備え、
前記第２の信号レベル比較器によって比較された前記ボトムホールドＰＰ信号のレベルと内周側ＬＰＰ信号のボトム値との差に所定の値を加えたものを第３の閾値とし、
シーク処理におけるトラック着地時に前記第１の信号レベル比較器によって比較された前記ピークホールドＰＰ信号のレベルと前記外周側ＬＰＰ信号のピーク値との差が前記第３の閾値よりも小さい場合にも、前記ＬＰＰ検出切替手段によって前記内周側ＬＰＰ検出手段に切替えて前記内周側ＬＰＰ検出手段を通じてアドレス情報を取得する、
ことを特徴とした光ディスク装置。
【請求項４】
請求項１に記載の光ディスク装置において、
前記ＰＰ信号からピックアップ内のレンズの位置情報信号を生成するレンズポジション信号生成手段を備え、
シーク処理におけるトラック着地時に前記レンズポジション信号生成手段によって生成されたレンズポジション信号のレベルが所定の第４の閾値より大きい場合にも、前記ＬＰＰ検出切替手段によって前記内周側ＬＰＰ検出手段に切替えて前記内周側ＬＰＰ検出手段を通じてアドレス情報を取得する、
ことを特徴とした光ディスク装置。
【請求項５】
請求項１から請求項４のいずれかに記載の光ディスク装置において、
前記ＬＰＰ検出切替手段により前記内周側ＬＰＰ検出手段へ切替えた後、前記内周側ＬＰＰ検出手段からアドレス情報が取得出来なかった場合、前記ＬＰＰ検出切替手段は前記外周側ＬＰＰ検出手段に切替え、かつ、アドレスの取得完了までの間、それ以上の切替えを行わない、
ことを特徴とした光ディスク装置。
【請求項６】
請求項１から請求項５のいずれかに記載の光ディスク装置において、
ジャンプするトラックの本数を補正するジャンプ本数補正手段を備え、
前記ＬＰＰ検出切替手段によって前記内周側ＬＰＰ検出手段側に切替えられている場合、前記ジャンプ本数補正手段によって次シークのジャンプトラック本数を補正してから、次のシーク処理を行う、
ことを特徴とした光ディスク装置。
【請求項７】
請求項１から請求項５のいずれかに記載の光ディスク装置において、
現在アドレス情報を補正するアドレス補正手段を備え、
前記ＬＰＰ検出切替手段によって前記内周側ＬＰＰ検出手段側に切替えられている場合、前記アドレス補正手段によって現在アドレス情報を補正してから、次のシーク処理を行う、
ことを特徴とした光ディスク装置。
【請求項８】
請求項１から請求項７のいずれかに記載の光ディスク装置において、
シーク時にジャンプするトラックの本数を算出するジャンプ本数算出手段によって算出されたジャンプトラック本数が、所定の値以下であった場合、シーク処理におけるトラック着地後のアドレス取得完了までの間、前記ＬＰＰ検出切替手段による切替えを行わず、前記外周側ＬＰＰ信号からアドレスを取得する、
ことを特徴とした光ディスク装置。
【請求項９】
請求項８に記載の光ディスク装置において、
前記ＬＰＰ検出切替手段によって前記内周側ＬＰＰ検出手段側に切替えられている場合、前記内周側ＬＰＰ検出手段から得られたアドレス情報がシーク目的位置であってもシーク完了とせずに、再度シーク処理を実行する、
ことを特徴とした光ディスク装置。
【請求項１０】
請求項１から請求項８のいずれかに記載の光ディスク装置において、
前記ＬＰＰ検出切替手段によって前記内周側ＬＰＰ検出手段側に切替えられている場合、前記内周側ＬＰＰ検出手段から得られたアドレス情報がシーク目的位置であった場合、前記ＬＰＰ検出切替手段によって前記外周側ＬＰＰ検出手段側に切替えて、前記外周側ＬＰＰ検出手段からアドレスを取得し、シーク処理を続行する、
ことを特徴とした光ディスク装置。
【発明の詳細な説明】
【０００１】
【発明の属する技術分野】
本発明は、ＤＶＤ-Ｒドライブに代表されるランドプリピットにアドレス情報が書き込まれた記録型光ディスクを記録/再生する光ディスク装置に関し、特に、シーク時のレンズオフセットのためＬＰＰ信号に基づくアドレス取得失敗によるシーク時間の遅延を防ぐことのできる光ディスク装置に関するものである。
【０００２】
【従来の技術】
近年、パソコンへの記録型光ディスク装置の標準搭載が急速に進み、パソコンの標準機能として認知されつつある。当初は記録型光ディスク装置の中でもＣＤ-ＲＯＭと互換性があり、書き込みや書き換えが可能なＣＤ−Ｒ／ＲＷドライブがその大半を占めていたが、昨今はより高容量のＤＶＤ-ＲＯＭと互換性のあるＤＶＤ−Ｒドライブや、ＤＶＤ−ＲＷドライブ、ランダムアクセス可能なＤＶＤ-ＲＡＭドライブがパソコンに標準搭載される動きもあり、さらにはこれらの複合ドライブが市場に登場するなど、光ディスクドライブの高性能、高機能化はとどまるところを知らない。
【０００３】
この記録型光ディスク装置のひとつである、ＤＶＤ−Ｒドライブの構成図例を図９に示す。
図９において、ディスク１０１はスピンドルモータ１０２によって一定線速度あるいは一定角速度で回転制御される。この回転するディスク１０１に対してピックアップ１０３が、ディスクの内周側から外周側に半径方向に移動しながらレーザ光をディスク面上に照射して、その反射光の変化からディスク面上の情報を読み取っていく。ディスク面には、ディスク１０１の回転速度を制御するための回転速度制御情報に対応した周波数でウォブリングされた、情報を記録するための情報トラックと、前記情報トラックに隣接したランドトラックとが螺旋状に形成されている。前記情報トラックの外周方向に隣接したランドトラックには、前記情報トラックのアドレス情報がプリピットの形で記録されている。前記レーザー光は、情報トラックと両側に隣接したランドトラックに対して照射され、その反射光から情報トラックに記録された情報、ランドプリピット（ＬＰＰ）に記録されたアドレス情報などを読み取っていく。ディスク面から読み出したデータは、アナログフロントエンドＩＣ９０４に送られる。続いて、デジタルシグナルプロセッサＩＣ９０５、デコーダＩＣ９０６を経由して、ホスト９０８にデータが転送される。前述の通り、情報は螺旋状に記録されているため、時間の経過と共にピックアップ１０３は内周から外周に移動しなければならない。ピックアップ１０３の移動には２種類の方法があり、レンズ１０４をピックアップ１０３のハウジング内で動かしていく方法と、ピックアップ１０３が固定されているフィード９０１を動かす方法とがある。通常はまずレンズ１０４を動かしてトラックに追従させ、レンズ１０４がハウジングの中心より一定位置以上移動した時点で、フィード９０１を動かしてレンズ１０４をハウジングの中央に戻すという方法が用いられている。外部等からの命令で、ディスク面上の任意位置の情報を読み取る時はシーク処理を行う。シーク処理とは、目標位置のアドレス情報と、前記ランドトラックに形成されたランドプリピットから得られる現在位置のアドレス情報から、目的位置までのトラック数を計算し、この本数分だけピックアップ１０３を移動させる処理である。
【０００４】
【発明が解決しようとする課題】
前記シーク処理の直後は、ハウジング内でレンズが中心位置からシフトしている場合がある。このとき生成されるＰＰ信号とレンズのシフト状態とを図２に示す。
図２(ａ)はレンズがピックアップ内の中心に位置している場合を示しており、照射されたビームスポット２０３は反射光の受け手であるフォトディテクタ２０４の中心に位置している。フォトディテクタ２０４はＡ、Ｂ、Ｃ、Ｄの４つに分割されており、ＰＰ信号は
（Ａ＋Ｄ）−（Ｂ＋Ｃ）
という演算によって生成される。
【０００５】
反射光はフォトディテクタ２０４のＡ、Ｂ、Ｃ、Ｄに均等に受光され、理想的には、上記の演算を行うことでトラック２０１に記録されたマークによる反射光量の変化(ＲＦ成分)はキャンセルされて、ＰＰ信号はトラックのウォブリング成分と隣接したランドトラックのＬＰＰ信号とだけになるが、実際にはＲＦ成分のすべてをキャンセルすることが出来ず、図２(ｂ)に示すようにある程度の幅を持った信号に外周側ＬＰＰ信号２０５が重畳された信号が生成される。
図２(ｃ)はレンズがピックアップ内でディスクの外周方向にシフトしている場合を示しており、照射されたビームスポット２０３は反射光の受け手であるフォトディテクタ２０４のＡ、Ｄ側に偏って位置している。
【０００６】
反射光はフォトディテクタ２０４のＡ、Ｄに偏って受光される。特にトラック２０１に記録されたマークによる反射光量の変化(ＲＦ成分)のほとんどをＡ、Ｄで受光するため、上記の演算を行ってもＲＦ成分はほとんどキャンセルされず、図２(ｄ)に示すように外周側ＬＰＰ信号２０５がＲＦ成分からのノイズに埋もれた信号が生成される。図２(ｃ)、（ｄ）に示すようにレンズがハウジング内で外周方向にシフトしていた場合、外周方向に隣接したランドトラックのＬＰＰ信号が、ウォブリング信号に混入した情報トラックに記録されたほかの信号からのノイズの影響を受けて検出できない状態になることがある。そのため、レンズシフトを解消し、外周側ＬＰＰ信号が検出できるようになるまでの間、アドレス情報が取得できずに次のシーク処理に遅延が発生してしまうという問題がある。
【０００７】
本発明は、上記の問題を解決するためになされたもので、短時間でシーク処理を終了させて目的のアドレスに到達することのできる光ディスク装置を提供することを目的とする。
【０００８】
【課題を解決するための手段】
前記課題を解決するために、本発明の請求項１に記載の光ディスク装置は、記録媒体の回転速度制御情報に対応した周波数で、情報を記録すべき情報トラックをウォブリングさせることにより前記回転速度制御情報が記録されている前記情報トラックと、前記情報トラックの外周方向に隣接し、該情報トラックのアドレス情報がプリピットの形で記録されているランドトラックとが螺旋状に形成されている、前記記録媒体を再生可能な光ディスク装置において、前記情報トラック及び前記情報トラックに隣接したランドトラックに対して光ビームを同時に照射し、当該光ビームの前記情報トラック及び前記ランドトラックからの反射光に基づいてＰＰ信号を生成するＰＰ信号生成手段と、前記ＰＰ信号に基づいて、該ＰＰ信号に含まれている前記ランドトラックからのプリピット信号であるＬＰＰ信号のうち、前記情報トラックの外周方向に隣接したランドトラックからのプリピット信号を検出する外周側ＬＰＰ検出手段と、前記ＰＰ信号に基づいて、該ＰＰ信号に含まれているＬＰＰ信号のうち、前記情報トラックの内周方向に隣接したランドトラックからのプリピット信号を検出する内周側ＬＰＰ検出手段と、前記外周側ＬＰＰ検出手段により検出したＬＰＰ信号をもとに前記情報トラックのアドレス情報を取得する、もしくは前記内周側ＬＰＰ検出手段により検出したＬＰＰ信号をもとに前記情報トラックよりも1本内周方向の情報トラックのアドレス情報を取得するＬＰＰアドレス検出手段と、前記外周側ＬＰＰ検出手段と、前記内周側ＬＰＰ検出手段との動作を切替えるＬＰＰ検出切替手段と、前記情報トラックの外周側に隣接したランドトラックからのＬＰＰ信号のピーク値を検出するピーク値検出手段と、前記ＰＰ信号のピークまたはボトムをホールドするＰＰ信号ホールド手段と、前記ＰＰ信号ホールド手段によりピークホールドされたピークホールドＰＰ信号のレベルと、前記ピーク値検出手段により検出された外周側ＬＰＰ信号のピーク値とを比較する信号レベル比較器と、を備え、通常は前記外周側ＬＰＰ検出手段を通じてアドレス情報を取得し、シーク処理におけるトラック着地時に前記信号レベル比較器によって比較された前記ピークホールドＰＰ信号のレベルと前記外周側ＬＰＰ信号のピーク値との差が所定の閾値より小さい場合は、前記ＬＰＰ検出切替手段によって前記内周側ＬＰＰ検出手段に切替えて前記内周側ＬＰＰ検出手段を通じてアドレス情報を取得し、アドレス取得後に再び前記外周側ＬＰＰ検出手段に戻すことを特徴とするものである。
【００１１】
本発明の請求項２に記載の光ディスク装置は、請求項１に記載の光ディスク装置において、前記ＰＰ信号のピークまたはボトムをホールドするＰＰ信号ホールド手段と、レンズがピックアップ内で偏りのない状態において、前記ＰＰ信号ホールド手段によりピークホールドして取得したピークホールドＰＰ信号のレベルを格納するピークホールドＰＰ信号レベル格納手段と、を備え、前記ピークホールドＰＰ信号レベル格納手段により格納されるピークホールドＰＰ信号レベルに所定の値を加えたものを第２の閾値とし、シーク処理におけるトラック着地時のピークホールドＰＰ信号レベルが前記第２の閾値より大きい場合にも、前記ＬＰＰ検出切替手段によって前記内周側ＬＰＰ検出手段に切替えて前記内周側ＬＰＰ検出手段を通じてアドレス情報を取得することを特徴とするものである。
【００１２】
本発明の請求項３に記載の光ディスク装置は、請求項１に記載の光ディスク装置において、前記情報トラックの外周側に隣接したランドトラックからのＬＰＰ信号のピーク値を検出するピーク値検出手段と、前記ＰＰ信号のピークまたはボトムをホールドするＰＰ信号ホールド手段と、前記ＰＰ信号ホールド手段によりピークホールドされたピークホールドＰＰ信号のレベルと、前記ピーク値検出手段により検出された外周側ＬＰＰ信号のピーク値とを比較する第１の信号レベル比較器と、前記情報トラックの内周側に隣接したランドトラックからのＬＰＰ信号のボトム値を検出するボトム値検出手段と、前記ＰＰ信号ホールド手段によりボトムホールドされたボトムホールドＰＰ信号のレベルと、前記ボトム値検出手段により検出された内周側ＬＰＰ信号のボトム値とを比較する第２の信号レベル比較器と、を備え、前記第２の信号レベル比較器によって比較された前記ボトムホールドＰＰ信号のレベルと内周側ＬＰＰ信号のボトム値との差に所定の値を加えたものを第３の閾値とし、シーク処理におけるトラック着地時に前記第１の信号レベル比較器によって比較された前記ピークホールドＰＰ信号のレベルと前記外周側ＬＰＰ信号のピーク値との差が前記第３の閾値よりも小さい場合にも、前記ＬＰＰ検出切替手段によって前記内周側ＬＰＰ検出手段に切替えて前記内周側ＬＰＰ検出手段を通じてアドレス情報を取得することを特徴とするものである。
【００１３】
本発明の請求項４に記載の光ディスク装置は、請求項１に記載の光ディスク装置において、前記ＰＰ信号からピックアップ内のレンズの位置情報信号を生成するレンズポジション信号生成手段を備え、シーク処理におけるトラック着地時に前記レンズポジション信号生成手段によって生成されたレンズポジション信号のレベルが所定の第４の閾値より大きい場合にも、前記ＬＰＰ検出切替手段によって前記内周側ＬＰＰ検出手段に切替えて前記内周側ＬＰＰ検出手段を通じてアドレス情報を取得することを特徴とするものである。
【００１４】
本発明の請求項５に記載の光ディスク装置は、請求項１から請求項４のいずれかに記載の光ディスク装置において、前記ＬＰＰ検出切替手段により前記内周側ＬＰＰ検出手段へ切替えた後、前記内周側ＬＰＰ検出手段からアドレス情報が取得出来なかった場合、前記ＬＰＰ検出切替手段は前記外周側ＬＰＰ検出手段に切替え、かつ、アドレスの取得完了までの間、それ以上の切替えを行わないことを特徴とするものである。
【００１５】
本発明の請求項６に記載の光ディスク装置は、請求項１から請求項５のいずれかに記載の光ディスク装置において、ジャンプするトラックの本数を補正するジャンプ本数補正手段を備え、前記ＬＰＰ検出切替手段によって前記内周側ＬＰＰ検出手段側に切替えられている場合、前記ジャンプ本数補正手段によって次シークのジャンプトラック本数を補正してから、次のシーク処理を行うことを特徴とするものである。
【００１６】
本発明の請求項７に記載の光ディスク装置は、請求項１から請求項５のいずれかに記載の光ディスク装置において、現在アドレス情報を補正するアドレス補正手段を備え、前記ＬＰＰ検出切替手段によって前記内周側ＬＰＰ検出手段側に切替えられている場合、前記アドレス補正手段によって現在アドレス情報を補正してから、次のシーク処理を行うことを特徴とするものである。
【００１７】
本発明の請求項８に記載の光ディスク装置は、請求項１から請求項７のいずれかに記載の光ディスク装置において、シーク時にジャンプするトラックの本数を算出するジャンプ本数算出手段によって算出されたジャンプトラック本数が、所定の値以下であった場合、シーク処理におけるトラック着地後のアドレス取得完了までの間、前記ＬＰＰ検出切替手段による切替えを行わず、前記外周側ＬＰＰ信号からアドレスを取得することを特徴とするものである。
【００１８】
本発明の請求項９に記載の光ディスク装置は、請求項８に記載の光ディスク装置において、前記ＬＰＰ検出切替手段によって前記内周側ＬＰＰ検出手段側に切替えられている場合、前記内周側ＬＰＰ検出手段から得られたアドレス情報がシーク目的位置であってもシーク完了とせずに、再度シーク処理を実行することを特徴とするものである。
【００１９】
本発明の請求項１０に記載の光ディスク装置は、請求項１から請求項８のいずれかに記載の光ディスク装置において、前記ＬＰＰ検出切替手段によって前記内周側ＬＰＰ検出手段側に切替えられている場合、前記内周側ＬＰＰ検出手段から得られたアドレス情報がシーク目的位置であった場合、前記ＬＰＰ検出切替手段によって前記外周側ＬＰＰ検出手段側に切替えて、前記外周側ＬＰＰ検出手段からアドレスを取得し、シーク処理を続行することを特徴とするものである。
【００２０】
【発明の実施の形態】
（実施の形態１）
以下、本発明の実施の形態１による光ディスク装置について、図１、図２を用いて説明する。
図１は、本発明の実施の形態１による光ディスク装置の構成を示すブロック図である。
【００２１】
図１において、ＰＰ信号生成手段（ＰＰ信号検出手段）１０５は、ピックアップ１０３によって検出された光ディスク１０１からの戻り光に基づいてＰＰ信号を生成し、ＬＰＰ検出切替手段１０６は前記ＰＰ信号を外周側ＬＰＰ検出手段１０７に送り、また外周側ＬＰＰ信号によりアドレスの取得が難しい場合、内周側ＬＰＰ検出手段１０８に送る。外周側ＬＰＰ検出手段１０７と内周側ＬＰＰ検出手段１０８とは、それぞれＰＰ信号からヴォブリング信号に重畳された情報トラックの外側、又は内側のＬＰＰ信号を検出し、ＬＰＰアドレス検出手段１０９は外周側ＬＰＰ検出手段１０７若しくは内周側ＬＰＰ検出手段１０８からのＬＰＰ信号を元に、それぞれ光の照射している情報トラックのアドレス、もしくは前記情報トラックの１本内側の情報トラックのアドレスを検出するものである。
【００２２】
通常は、ＬＰＰ検出切替手段１０６は前記ＰＰ信号を外周側ＬＰＰ検出手段１０７に送り、ＬＰＰアドレス検出手段１０９は外周側ＬＰＰ検出手段１０７から得られる外周側ＬＰＰ信号を用いて、レーザー光の照射している情報トラックのアドレスを取得しているが、図２(ｃ)に示すように、シーク処理におけるトラック着地時にピックアップ１０３内でレンズ１０４がディスクの外周方向に偏っている場合、照射されたビームスポット２０３は、反射光の受け手であるフォトディテクタ２０４のＡ、Ｄ側に偏って位置しており、反射光はフォトディテクタ２０４のＡ、Ｄに偏って受光される。特に、トラック２０１に記録されたマークによる反射光量の変化(ＲＦ成分)のほとんどをＡ、Ｄで受光するため、ＰＰ信号生成のための演算
（Ａ＋Ｄ）−（Ｂ＋Ｃ）
を行ってもＲＦ成分はほとんどキャンセルされず、図２(ｄ)に示すように、外周側ＬＰＰ信号２０５がＲＦ成分からのノイズに埋もれてしまい、アドレスが検出できない状態になることがある。
【００２３】
このような、外周側ＬＰＰ検出手段１０７からの信号の元に、ＬＰＰアドレス検出手段１０９はアドレスが取得できなかった場合、ＬＰＰ検出切替手段１０６は内周側ＬＰＰ検出手段１０８へ切替える。このときの内周側のＬＰＰ信号はＢ、Ｃで受光されているので、内周側ＬＰＰ信号２０６はレンズがピックアップ内の中心に位置している場合と同様の信号が得られるため、レーザー光の照射している情報トラックよりも１つ内周側の情報トラックのアドレス情報を取得することができる。
【００２４】
次に、上記のような構成を有する光ディスク装置の動作について説明する。
まず、ディスク面からの戻り光からＰＰ信号生成手段１０５によってＰＰ信号が生成される。生成されたＰＰ信号は、ＬＰＰ検出切替手段１０６によって、外周側ＬＰＰ検出手段１０７へ送られる。
前記ＰＰ信号が外周側ＬＰＰ検出手段１０７に送られると、外周側ＬＰＰ検出手段１０７は、前記ＰＰ信号から、レーザー光の照射している情報トラックの外周側に隣接したランドトラックにあるプリピットにより得られるＬＰＰ信号を検出し、ＬＰＰアドレス検出手段１０９へ送る。ＬＰＰアドレス検出手段１０９は、外周側ＬＰＰ検出手段１０７により得られたＬＰＰ信号から、レーザー光の照射している情報トラックのアドレス情報を検出する。
【００２５】
上記ステップで情報トラックのアドレス情報を検出できなかった場合、ＬＰＰ検出切替手段１０６は内周側ＬＰＰ検出手段１０８に切り替えて、ＰＰ信号を内周側ＬＰＰ検出手段１０８に送る。
【００２６】
このように、前記ＰＰ信号が内周側ＬＰＰ検出手段１０８に送られると、内周側ＬＰＰ検出手段１０８は、ＰＰ信号から、レーザー光の照射している情報トラックより、１つ内周側の情報トラックの外周側に隣接したランドトラックにあるプリピットにより得られるＬＰＰ信号を検出し、ＬＰＰアドレス検出手段１０９へ送る。ＬＰＰアドレス検出手段１０９は、内周側ＬＰＰ検出手段１０８から得られたＬＰＰ信号から、レーザー光の照射している情報トラックよりも、１つ内周側の情報トラックのアドレス情報を検出する。
【００２７】
上記のようにして、トラック着地時のアドレスを取得できれば、目標アドレスと比較して、次のシークに移る。
もし、ＬＰＰ検出切替手段１０６によって内周側ＬＰＰ検出手段１０８へ切替えてもなお、アドレスの取得が出来なかった場合は、ＬＰＰ検出切替手段１０６によって再度外周側ＬＰＰ検出手段１０７への切替えを行うが、アドレスが取得できるまでこれ以上のＬＰＰ検出切替手段１０６による切替えは行わない。これは、一度内周側ＬＰＰ検出手段１０８でアドレスの取得が出来なかった場合に、外周側ＬＰＰ検出手段１０７と内周側ＬＰＰ検出手段１０８とのこれ以上の切替えを繰り返すことを防ぐためである。
【００２８】
このように、本実施の形態１では、外周側ＬＰＰ検出手段と、内周側ＬＰＰ検出手段と、ＬＰＰ検出切替手段とを設けるようにしたので、外周側ＬＰＰ検出手段を用いてアドレスの取得が出来なかった場合に、ＬＰＰ検出切替手段が内周側ＬＰＰ検出手段に切り替え、内周側ＬＰＰ信号からアドレスを取得することにより、レンズのピックアップ内での偏りが解消されるまで待つことなく次のシークが行えるため、シーク時間の遅延を最小に抑えることが出来る。
【００２９】
（実施の形態２）
以下、本発明の実施の形態２による光ディスク装置について、図３、図４を用いて説明する。
図３は、本発明の実施の形態２による光ディスク装置の構成を示すブロック図である。
【００３０】
図３において、ピーク値検出手段３０１は、光ディスクからの戻り光を元に生成されたＰＰ信号４０２に含まれる、レーザー光の照射されている情報トラックのアドレスを示す外周側ＬＰＰ信号４０１のピーク値４０３を検出するもので、同様にボトム値検出手段３０２は、ＰＰ信号４０２に含まれる、レーザー光の照射されている情報トラックよりも１つ内周側の情報トラックのアドレスを示す内周側ＬＰＰ信号４０９のボトム値４１０を検出するものである。そして、ＰＰ信号ホールド手段３０３は、ＰＰ信号４０２のピークホールドまたはボトムホールドを行い、ピークホールドＰＰ信号４０４またはボトムホールドＰＰ信号４１１を生成するものである。また、演算手段１(３０４)は、外周側ＬＰＰ信号のピーク値４０３とピークホールドＰＰ信号４０４とを比較し、そのレベル差４０５を算出し、演算手段２(３０５) は、内周側ＬＰＰ信号のボトム値４１０とボトムホールドＰＰ信号４１１を比較し、そのレベル差４１２を算出するものである。なお、閾値発生手段３０６は、それぞれの比較判定方法に対応する閾値を生成するもので、レベル比較器３０７は、それぞれの比較判定方法に対応するレベル差と、前記閾値とを比較し、その比較結果をＬＰＰ検出切替手段１０６の切り替えの判断基準とするものである。
【００３１】
なお、その他の構成は、前述した実施の形態１と同様なため、同じ符号を付しており、その説明を省略する。
次に、上記のような構成を有する本実施の形態２による光ディスク装置の動作について、図面を参照しながら説明する。
まず、ディスク面からの戻り光からＰＰ信号検出手段１０５によってＰＰ信号４０２が生成される。生成されたＰＰ信号４０２は、ピーク値検出手段３０１、ボトム値検出手段３０２、ＰＰ信号ホールド手段３０３、及びＬＰＰ検出切替手段１０６へ送られる。
【００３２】
ピーク値検出手段３０１は、ＰＰ信号４０２に含まれる外周側ＬＰＰ信号４０１のピーク値４０３を検出する。同様にボトム値検出手段３０２は、ＰＰ信号４０２に含まれる内周側ＬＰＰ信号４０９のボトム値４１０を検出する。ＰＰ信号ホールド手段３０３は、ＰＰ信号４０２のピークホールドまたはボトムホールドを行い、ピークホールドＰＰ信号４０４またはボトムホールドＰＰ信号４１１を生成する。
【００３３】
ピーク値４０３とピークホールドＰＰ信号４０４とは演算手段１(３０４)に送られ、そのレベル差４０５が算出される。同様にボトム値４１０とボトムホールドＰＰ信号４１１とは演算手段２(３０５)に送られ、そのレベル差４１２が算出される。ピークホールドＰＰ信号４０４、レベル差４０５、及びレベル差４１２は、条件判定の方法に応じて必要とされるものがレベル比較器３０７もしくは、閾値発生手段３０６に送られ、ＬＰＰ検出切替えの条件判定に使用される。
【００３４】
図４(ａ) は、第1種の条件判定を示すものであり、ピークホールドＰＰ信号４０４と外周側ＬＰＰ信号のピーク値４０３とのレベル差４０５と、閾値発生手段３０６から得られる所定の閾値とをレベル比較器３０７に送られ、シーク処理におけるトラック着地時のレベル差４０５がレベル比較器３０７によって比較される。該レベル差４０５が閾値よりも小さい場合は、外周側ＬＰＰ信号の検出ができない状態にあると判断し、ＬＰＰ検出切替手段１０６によって、内周側ＬＰＰ検出手段１０８へ切替える。
【００３５】
また、図４(ｂ)、図４(ｃ) は第２種の条件判定を示すものであり、予めレンズ１０４がピックアップ内に偏りのない状態で、図４(ｂ)に示すようなピークホールドＰＰ信号４０４と基準電位４０６とのレベル差４０７を取得する。レベル差４０７は閾値発生手段３０６へ送られ、所定の値が足された後、閾値として閾値発生手段に格納される。シーク処理におけるトラック着地時、レベル比較器３０７は、図４(ｃ)に示すように、ピークホールドＰＰ信号４０４と基準電圧４０６とのレベル差４０８を計算して、閾値発生手段３０６に格納された閾値と比較を行う。該レベル差４０８が閾値よりも大きい場合は、情報トラックにより生成された信号からのノイズが増大して外周側ＬＰＰ信号の検出ができない状態であると判断し、ＬＰＰ検出切替手段１０６によって、内周側ＬＰＰ検出手段１０８へ切替える。
【００３６】
図４(ｄ) は、第３種の条件判定を示すものであり、シーク処理におけるトラック着地時に、ボトムホールドＰＰ信号４１１と内周側ＬＰＰ信号のボトム値４１０とのレベル差４１２は閾値発生手段３０６へ送られ、所定の値が引かれた後、閾値として閾値発生手段３０６に格納される。ここで所定の値とは、事前にレンズの偏りを起こして外周側ＬＰＰ信号からアドレスが取得できなくなるときのレベル差４１２とレベル差４０５との差を求めることで決定する。格納された閾値と、ピークホールドＰＰ信号４０４と外周側ＬＰＰ信号のピーク値４０３とのレベル差４０５とはレベル比較器３０７によって比較し、レベル差４０５が閾値よりも小さい場合は内周側ＬＰＰ信号に比べて外周側ＬＰＰ信号の検出が困難な状態にあると判断し、ＬＰＰ検出切替手段１０６によって、内周側ＬＰＰ検出手段１０８へ切替える。
【００３７】
このように、通常は外周側ＬＰＰ検出手段１０７を用いて、レーザー光の照射している情報トラックのアドレス情報を取得するが、上記の第１種の条件、第２種の条件、または第３種の条件を満たした場合、ＬＰＰ検出切替手段１０６により内周側ＬＰＰ検出手段１０８に切り替え、内周側ＬＰＰ検出手段１０８を用いて、レーザー光の照射している情報トラックの１本内側の情報トラックのアドレス情報を取得する。
また、ＬＰＰ検出切替手段１０６により切り替えを行った以降の動作、前述した実施の形態１ですでに述べたことと同様であるため、ここではその説明を省略する。
このように、本実施の形態２による光ディスク装置では、ＬＰＰ信号のピーク値検出手段と、ＬＰＰ信号のボトム値検出手段と、ＰＰ信号ホールド手段と、レベル比較器と、内周側ＬＰＰ検出手段などとを設けるようにしたので、所定の条件を満たした場合に内周側ＬＰＰ検出手段により生成された内周側ＬＰＰ信号からアドレスを取得することで、レンズのピックアップ内での偏りが解消されるまで待つことなく次のシークが行え、シーク時間の遅延を最小に抑えることが出来る。
【００３８】
（実施の形態３）
以下、本発明の実施の形態３による光ディスク装置について、図５、図６を用いて説明する。
図５は、本発明の実施の形態３による光ディスク装置の構成を示すブロック図である。
図５において、レンズポジション信号検出手段５０１は光ディスクからの戻り光を用いて、レンズがピックアップ１０３のハウジング内の位置を示す信号６０１を検出するもので、閾値発生手段５０２は、ピックアップ１０３のハウジング内でレンズ位置が外周側に偏っているため外周側ＬＰＰ信号を検出できない限界値を、レンズの偏り閾値６０２として生成するものである。
なお、その他の構成は、前述した実施の形態１と同様なため、同じ符号を付しており、その説明を省略する。
【００３９】
次に、上記のような構成を有する本実施の形態３による光ディスク装置の動作について、図面を参照しながら説明する。
まず、ディスク面からの戻り光に基づいて、ＰＰ信号生成手段１０５によってＰＰ信号が生成され、またレンズポジション信号検出手段５０１によってレンズの位置を示すレンズポジション信号６０１が生成される。
生成されたレンズポジション信号６０１は、閾値発生手段５０２によって得られる閾値６０２とレベル比較器５０３によって比較される。
【００４０】
通常、ＰＰ信号は外周側ＬＰＰ検出手段１０７へ送られているが、シーク処理におけるトラック着地時に、レンズポジション信号６０１が前記閾値６０２を超えた場合は、レンズ１０４がピックアップ１０３内で外周側に偏ってしまい、外周側ＬＰＰ信号の検出ができない状態にあると判断し、ＬＰＰ検出切替手段１０６によって内周側ＬＰＰ検出手段１０８へ切替える。
【００４１】
このように、通常は外周側ＬＰＰ検出手段１０７を用いて、レーザー光の照射している情報トラックのアドレス情報を取得するが、トラック着地時においてレンズの位置の偏りが閾値を超えた場合は、ＬＰＰ検出切替手段１０６により内周側ＬＰＰ検出手段１０８に切り替え、内周側ＬＰＰ検出手段１０８を用いて、レーザー光の照射している情報トラックの１本内側の情報トラックのアドレス情報を取得する。
【００４２】
また、ＬＰＰ検出切替手段１０６により切り替えを行った以降の動作、前述した実施の形態１ですでに述べたことと同様であるため、ここではその説明を省略する。
【００４３】
このように、本実施の形態３による光ディスク装置では、レンズポジション信号検出手段と、閾値発生手段と、内周側ＬＰＰ検出手段などとを設けるようにしたので、シーク処理におけるトラック着地時にレンズポジション信号を測定して、レンズの偏りにより外周側ＬＰＰ検出手段からアドレス情報を取得出来ない状態であるかどうかを事前に検知し、できない場合、内周側ＬＰＰ検出手段からアドレス情報を取得することで、前記ハウジング内でのレンズオフセットが解消されるまで待機することなく、次のシーク処理に移行することができる。
【００４４】
（実施の形態４）
以下、本発明の実施の形態４による光ディスク装置について、図７、図８を用いて説明する。
図７は、本発明の実施の形態４による光ディスク装置の構成を示すブロック図である。
図７において、ジャンプ本数算出手段７０３は、シーク処理におけるジャンプするトラックの本数を算出するもので、ジャンプ本数比較手段７０５は、前記ジャンプ本数算出手段７０３により算出されたジャンプするトラックの本数と所定のトラックの本数とを比較するものである。
【００４５】
また、アドレス補正手段７０２は、アドレスが内周側ＬＰＰ検出手段１０８より取得された場合、前記アドレスに対して補正を行うものである。具体的には、アドレス補正手段７０２は、隣接したトラックの円周はほぼ同じであることを利用して次の式のように近似する。
補正アドレス＝取得アドレス＋（取得したアドレスにおける円周の長さ/セクタ長）
また、ジャンプ本数補正手段７０４は、アドレスが内周側ＬＰＰ検出手段１０８より取得された場合、ジャンプ本数算出手段７０３により算出した目標のアドレスまでのジャンプするトラックの本数に対して補正を行うものである。具体的には、ジャンプ本数補正手段７０４は、取得したアドレスがレーザー光の照射されている情報トラック８０２よりも１つ内周側の情報トラック８０１のアドレスであることから、実際の着地点は取得したアドレスよりも１つ外周側になることを考慮してジャンプ本数を内周向きシークなら＋１、外周向きシークなら−１することで補正を行う。
なお、その他の構成について、前述した実施の形態１と同様なため、同様な符号を付しており、その説明を省略する。
【００４６】
次に、上記のような構成を有する光ディスク装置の動作について、図８を参照しながら説明する。
まず、ディスク面からの戻り光に基づいて、ＰＰ信号生成手段１０５によってＰＰ信号が生成され、通常は生成されたＰＰ信号は外周側ＬＰＰ検出手段１０７に送られる。外周側ＬＰＰ検出手段１０７は、レーザー光の照射している情報トラックの外周側に隣接したランドトラックにあるプリピットにより形成されたランドプリピット（ＬＰＰ）信号を検出し、ＬＰＰアドレス検出手段１０９へ送る。ＬＰＰアドレス検出手段１０９は、外周側ＬＰＰ検出手段１０７から得られたＬＰＰ信号から、アドレス情報を検出する。
【００４７】
前記検出されたアドレス情報と目標位置アドレス７０１とを元に、ジャンプ本数算出手段７０３は、シーク処理におけるトラックのジャンプ本数を算出し、シーク処理を実行する。このときジャンプ本数比較手段７０５は、算出されたジャンプ本数と所定の本数とを比較し、ジャンプ本数が所定の本数以下（例えば１００本以下）の場合、シーク目標位置に達する可能性が高いため、シーク目標位置に到達したかどうかの判断に内周側ＬＰＰ信号から得られるアドレスを使用することを防ぐために、ＬＰＰ検出切替手段１０６は、目標位置アドレスに到達するまでの間は、外周側ＬＰＰ検出手段１０７に切り替えて固定し、シーク処理におけるトラック着地時には外周側ＬＰＰ信号からアドレスを取得する。
【００４８】
また、トラックのジャンプ本数が所定の本数以上の場合、シーク処理におけるトラック着地時に、前述した実施の形態１、実施の形態２、及び実施の形態３で述べた条件に応じて、ＬＰＰ検出切替手段１０６は、外周側ＬＰＰ検出手段１０７と内周側ＬＰＰ検出手段１０８とを切替え、ＬＰＰアドレス検出手段１０９は外周側ＬＰＰ信号または内周側ＬＰＰ信号からアドレスを取得する。取得したアドレスが目標位置かどうかを判定し、目標位置に達していない場合は再度シーク処理を行う。
【００４９】
なお、上記再度シーク処理をしようとする際、ＬＰＰ検出切替手段１０６によって内周側ＬＰＰ検出手段に切替えられていた場合、図８に示すように、レーザー光の照射されている情報トラック８０２の内周側ランドトラック８１０上のＬＰＰ８０６からアドレスを取得するので、取得されたアドレスはレーザー光の照射されている情報トラック８０２よりも１つ内周側の情報トラック８０１のアドレスである。そこで、アドレス補正手段７０２によりアドレスを補正してからジャンプ本数算出手段７０３はトラックのジャンプ本数を算出し、もしくはジャンプ本数算出手段７０３により算出したジャンプ本数にジャンプ本数補正手段７０４が補正をかけた後に、シーク処理を実行する。
【００５０】
一方、取得したアドレスが目標位置であった場合は、ＬＰＰ検出切替手段１０６によって内周側ＬＰＰ検出手段に切替えられていたかどうかを判定し、もし、内周側ＬＰＰ検出手段に切替えられていた場合は、再度シーク処理を行う(経路１)か、ＬＰＰ検出切替手段１０６によって外周側ＬＰＰ検出手段に切替えてアドレスを再取得してシーク処理を続行するか(経路２)を選択し、シーク完了とはしない。取得したアドレスが目標位置であり、かつ、ＬＰＰ検出切替手段１０６によって外周側ＬＰＰ検出手段に切替えられていた場合は目標位置に到達したと判断し、シーク完了とする。
【００５１】
このように、本実施の形態４による光ディスク装置では、アドレス補正手段と、ジャンプ本数算出手段と、ジャンプ本数補正手段と、ジャンプ本数比較手段と、内周側ＬＰＰ検出手段などとを設けるようにしたので、より速く、正確なアドレス、及びジャンプ本数を求めることで、目的アドレスに速く到達することができる。また、短距離のシークと長距離のシークとを区別するようにし、短距離シークのときはシーク目標位置に達する可能性が高いため、内周側ＬＰＰ検出手段を使用せずに外周側ＬＰＰ検出手段を使用し、長距離のシークで内周側ＬＰＰ信号からアドレスを取得した場合はアドレスおよびジャンプ本数の補正を行い、かつ、内周側ＬＰＰ信号から取得したアドレスがシーク目的位置であってもシーク完了と判断せずに内周側ＬＰＰ検出手段を用いて再度シークを行うか、又は外周側ＬＰＰ信号からアドレスを取得し直すことで内周側ＬＰＰ信号を使用しつつ正確なシーク処理を行うことができる。
【００５２】
【発明の効果】
以上のように、本発明に係る光ディスク装置によれば、情報トラックの外周方向に隣接したランドトラックのＬＰＰ信号検出を検出する外周側ＬＰＰ検出手段とは別に、情報トラックの内周方向に隣接したランドトラックのＬＰＰ信号を検出する内周側ＬＰＰ検出手段を設け、これらを切替えて使用するようにしたので、外周側ＬＰＰ検出手段からＬＰＰ信号を検出できないとき、内周側ＬＰＰ検出手段からのＬＰＰ信号を用いてアドレス情報を取得することで、ピックアップハウジング内でのレンズオフセットが解消されるまで待機することなく、着地地点のおおよそのアドレスを元に次のシーク処理に移ることが出来るため、従来技術における次のシーク処理までの遅延を解消し、アクセスタイムの向上を図ることができるという効果がある。
【００５３】
また、本発明によれば、上記光ディスク装置において、外周側ＬＰＰ検出手段により得られるＬＰＰ信号からのアドレス取得が出来なかった場合、内周側ＬＰＰ検出手段に切り替えるようにしたので、ピックアップハウジング内でのレンズオフセットが解消されるまで待機することなく、着地地点のおおよそのアドレスを元に次のシーク処理に移ることが出来るため、従来技術における次のシーク処理までの遅延を解消し、アクセスタイムの向上を図ることができるという効果がある。
【００５４】
本発明によれば、上記光ディスク装置において、情報トラックの外周側に隣接したランドトラックからのＬＰＰ信号のピーク値を検出するピーク値検出手段と、ＰＰ信号のピークまたはボトムをホールドするＰＰ信号ホールド手段とを設け、ピークホールドされたＰＰ信号と外周側ＬＰＰ信号のピーク値との差が所定の閾値よりも小さい場合に、内周側ＬＰＰ検出手段に切り替えるようにしたので、ピークホールドＰＰ信号のレベルと前記外周側ＬＰＰ信号のピーク値との差を取得することでアドレス情報を取得出来ない状態であることを事前に検知し、内周側ＬＰＰ検出手段からアドレス情報を取得することで、ピックアップハウジング内でのレンズオフセットが解消されるまで待機することなく、着地地点のおおよそのアドレスを元に次のシーク処理に移ることが出来るため、従来技術における次のシーク処理までの遅延を解消し、アクセスタイムの向上を図ることができるという効果がある。
【００５５】
本発明によれば、上記光ディスク装置において、レンズに偏りのない状態でのピークホールドＰＰ信号レベルとシーク処理におけるトラック着地時でのピークホールドＰＰ信号レベルとを比較し、所定の閾値を超えた場合、内周側ＬＰＰ検出手段に切り替えるようにしたので、外周側ＬＰＰ検出手段からアドレス情報を取得出来ない状態であることを事前に検知し、内周側ＬＰＰ検出手段からアドレス情報を取得することで、ハウジング内でのレンズオフセットが解消されるまで待機することなく次のシーク処理を可能にすることができるという効果がある。
【００５６】
本発明によれば、上記光ディスク装置において、前記情報トラックの外周側に隣接したランドトラックからのＬＰＰ信号のピーク値を検出するピーク値検出手段と、前記ＰＰ信号のピークまたはボトムをホールドするＰＰ信号ホールド手段と、前記ＰＰ信号ホールド手段によりピークホールドされたピークホールドＰＰ信号のレベルと、前記ピーク値検出手段により検出された外周側ＬＰＰ信号のピーク値とを比較する第１の信号レベル比較器と、前記情報トラックの内周側に隣接したランドトラックからのＬＰＰ信号のボトム値を検出するボトム値検出手段と、前記ＰＰ信号ホールド手段によりボトムホールドされたボトムホールドＰＰ信号のレベルと、前記ボトム値検出手段により検出された内周側ＬＰＰ信号のボトム値とを比較する第２の信号レベル比較器と、を備え、前記第２の信号レベル比較器によって比較された前記ボトムホールドＰＰ信号のレベルと内周側ＬＰＰ信号のボトム値との差に所定の値を加えたものを閾値とし、前記第１の信号レベル比較器によって比較された前記ピークホールドＰＰ信号のレベルと前記外周側ＬＰＰ信号のピーク値との差が前記閾値よりも小さい場合、内周側ＬＰＰ検出手段に切り替えるようにしたので、外周側ＬＰＰ信号と内周側ＬＰＰ信号とのレベル差を比較することで、外周側ＬＰＰ検出手段からアドレス情報を取得出来ない状態であることを事前に検知し、内周側ＬＰＰ検出手段からアドレス情報を取得することで、ハウジング内でのレンズオフセットが解消されるまで待機することなく、次のシーク処理を可能にすることができるという効果がある。
【００５７】
本発明によれば、上記光ディスク装置において、ＰＰ信号からピックアップ内のレンズの位置情報信号を生成するレンズポジション信号生成手段を備え、前記レンズポジション信号生成手段によって生成されたレンズポジション信号のレベルが所定の閾値を超えた場合、内周側ＬＰＰ検出手段に切り替えるようにしたので、レンズポジション信号のレベルを取得することで外周側ＬＰＰ検出手段からアドレス情報を取得出来ない状態であることを事前に検知し、内周側ＬＰＰ検出手段からアドレス情報を取得することで、ハウジング内でのレンズオフセットが解消されるまで待機することなく、次のシーク処理を可能にすることができるという効果がある。
【００５８】
本発明によれば、上記光ディスク装置において、ＬＰＰ検出切替手段により内周側ＬＰＰ検出手段へ切替えた後、前記内周側ＬＰＰ検出手段からアドレス情報が取得出来なかった場合、前記ＬＰＰ検出切替手段は前記外周側ＬＰＰ検出手段に切替え、なお、アドレスの取得完了までの間、それ以上の切替えを行わないようにしたので、内周側ＬＰＰ検出手段からアドレス情報が取得出来なかった場合に、外周側ＬＰＰ検出手段のみを使用することで、ＬＰＰ検出手段の切替えが繰り返されることによる遅延や、遅延が発生したときにレーザー光の照射されている情報トラックよりも、１つ内周側の情報トラックのアドレス情報を取得することを防ぐことができるという効果がある。
【００５９】
本発明によれば、上記光ディスク装置において、ジャンプするトラックの本数を補正するジャンプ本数補正手段を備え、前記ＬＰＰ検出切替手段によって前記内周側ＬＰＰ検出手段側に切替えられている場合、前記ジャンプ本数補正手段によって次シークのジャンプトラック本数を補正してから、次のシーク処理を行うようにしたので、取得したアドレス情報がレーザー光の照射されている情報トラックよりも、１つ内周側の情報トラックのアドレス情報であることを考慮してジャンプ本数の補正を行うことで、正確なシーク処理を行い、シーク処理完了までの時間を短縮することができるという効果がある。
【００６０】
本発明によれば、上記光ディスク装置において、現在アドレス情報を補正するアドレス補正手段を備え、前記ＬＰＰ検出切替手段によって前記内周側ＬＰＰ検出手段側に切替えられている場合、前記アドレス補正手段によって現在アドレス情報を補正してから、次のシーク処理を行うようにしたので、取得したアドレス情報がレーザー光の照射されている情報トラックよりも、１つ内周側の情報トラックのアドレス情報であることを考慮して現在アドレスの補正を行うことで、正確なシーク処理を行い、シーク処理完了までの時間を短縮することができるという効果がある。
【００６１】
本発明によれば、上記光ディスク装置において、シーク時にジャンプするトラックの本数を算出するジャンプ本数算出手段によって算出されたジャンプトラック本数が、所定の値以下であった場合、シーク処理におけるトラック着地後のアドレス取得完了までの間、前記ＬＰＰ検出切替手段による切替えを行わず、前記外周側ＬＰＰ信号からアドレスを取得するようにしたので、シーク目標位置に達する可能性の高い短距離のシークにおいて内周側ＬＰＰ信号からアドレスを取得しないことで、トラック着地点よりも１つ内周側のトラックのアドレスを取得することを防ぎ、正確にシーク目標位置に到達することができるという効果がある。
【００６２】
本発明によれば、上記光ディスク装置において、ＬＰＰ検出切替手段によって内周側ＬＰＰ検出手段側に切替えられている場合、前記内周側ＬＰＰ検出手段から得られたアドレス情報がシーク目的位置であってもシーク完了とせずに、再度シーク処理を実行するようにしたので、内周側ＬＰＰ検出手段から取得したアドレス情報がシーク目的位置であってもシーク完了と判断せずに内周側ＬＰＰ検出手段を用いて再度シークを行うことで、目標位置よりも１つ外周のトラックに着地した状態でシーク処理を完了することを防ぐことができるという効果がある。
【００６３】
本発明によれば、上記光ディスク装置において、ＬＰＰ検出切替手段によって内周側ＬＰＰ検出手段側に切替えられている場合、前記内周側ＬＰＰ検出手段から得られたアドレス情報がシーク目的位置であった場合、前記ＬＰＰ検出切替手段によって外周側ＬＰＰ検出手段側に切替えて、前記外周側ＬＰＰ検出手段からアドレスを取得し、シーク処理を続行するようにしたので、レーザー光の照射されている情報トラックよりも１つ内周側の情報トラックのアドレス情報が目標位置となった時に、レーザー光の照射されている情報トラックのアドレスを取得し直すことで、目標位置よりも１つ外周のトラックに着地した状態で、シーク処理を完了することを防ぐことができるという効果がある。
【図面の簡単な説明】
【図１】本発明の実施の形態１における光ディスク装置の構成を示すブロック図である。
【図２】本発明におけるレンズのシフト量と生成されるＰＰ信号及びＬＰＰ信号との関係を示す図である。
【図３】本発明の実施の形態２における光ディスク装置の構成を示すブロック図である。
【図４】本発明の実施の形態２におけるＰＰ信号及びＬＰＰ検出切替えの条件を示す図である。
【図５】本発明の実施の形態３における光ディスク装置の構成を示すブロック図である。
【図６】本発明の実施の形態３におけるレンズのシフト量とレンズポジション信号との相関図である。
【図７】本発明の実施の形態４における光ディスク装置の構成を示すブロック図である。
【図８】本発明の実施の形態４における着地トラックと取得されるアドレスを示す概念図である。
【図９】本発明の属する光ディスク装置の構成を示すブロック図である。
【符号の説明】
１０１  ディスク
１０２  スピンドルモータ
１０３  ピックアップ
１０４  レンズ
１０５  ＰＰ信号検出手段
１０６  ＬＰＰ検出切替手段
１０７  外周側ＬＰＰ検出手段
１０８  内周側ＬＰＰ検出手段
１０９  ＬＰＰアドレス検出手段
２０１  情報トラック
２０２  ランドプリピット（ＬＰＰ）
２０３  ビームスポット
２０４  フォトディテクタ
２０５  外周側ＬＰＰ信号
２０６  内周側ＬＰＰ信号
３０１  ピーク値検出手段
３０２  ボトム値検出手段
３０３  ＰＰ信号ホールド手段
３０４  演算手段１
３０５  演算手段２
３０６  閾値発生手段
３０７  レベル比較器
４０１  外周側ＬＰＰ信号
４０２  ＰＰ信号
４０３  外周側ＬＰＰ信号のピーク値
４０４  ピークホールドＰＰ信号
４０５  外周側ＬＰＰ信号のピーク値とピークホールドＰＰ信号との差
４０６  基準電圧
４０７  レンズの偏りのない状態での基準電圧からのピークホールドＰＰ信号レベル
４０８  レンズが外周側に偏った状態での基準電圧からのピークホールドＰＰ信号レベル
４０９  内周側ＬＰＰ信号
４１０  内周側ＬＰＰ信号のボトム値
４１１  ボトムホールドＰＰ信号
４１２  内周側ＬＰＰ信号のボトム値とボトムホールドＰＰ信号との差
５０１  レンズポジション信号検出手段
５０２  閾値発生手段
５０３  レベル比較器
６０１  レンズポジション信号
６０２  閾値
７０１  目標位置アドレス
７０２  アドレス補正手段
７０３  ジャンプ本数算出手段
７０４  ジャンプ本数補正手段
７０５  ジャンプ本数比較手段
８０１  情報トラック１
８０２  情報トラック２
８０３  情報トラック３
８０４  情報トラック４
８０５  ビームスポット
８０６  情報トラック１に対するＬＰＰ
８０７  情報トラック２に対するＬＰＰ
８０８  情報トラック３に対するＬＰＰ
８０９  情報トラック４に対するＬＰＰ
８１０  情報トラック２の内周側ランドラック
８１１  情報トラック２の外周側ランドラック
９０１  フィード
９０２  フィードモータ
９０３  ドライバＩＣ
９０４  アナログフロントエンドＩＣ
９０５  デジタルシグナルプロセッサＩＣ
９０６  デコーダＩＣ
９０７  ＣＰＵ
９０８  ホスト
【図１】
0004148396.tif 000002
【図２】
0004148396.tif 000003
【図３】
0004148396.tif 000004
【図４】
0004148396.tif 000005
【図５】
0004148396.tif 000006
【図６】
0004148396.tif 000007
【図７】
0004148396.tif 000008
【図８】
0004148396.tif 000009
【図９】
0004148396.tif 000010